(57)【要約】【課題】低電圧（例えば、３Ｖ以下）電源で駆動しても映像信号出力がクリップされて波形歪みを発生することがない映像信号増幅回路を提供する。【解決手段】本発明の映像信号増幅回路（１）は、映像信号を逆相入力端子（−）側に入力し、第１基準電位を正相入力端子側に接続した演算増幅器を含む第１反転増幅回路（１０）と、第１反転増幅回路から出力される映像信号を逆相入力端子（−）側に入力し、第２基準電位を正相入力端子（＋）側に接続した演算増幅器を含む第２反転増幅回路（２０）と、第１反転増幅回路の逆相入力端子（−）に入力する映像信号のレベルをシフトするためのボトムクランプＤＣ電圧を発生するクランプ回路（２）と、ボトムクランプＤＣ電圧を第２反転増幅回路の逆相入力端子（−）に入力して第１反転増幅回路から出力される映像信号と加算するクランプキャンセル回路（３）とを有する。【選択図】          図１
2004282188.tif 000002
【特許請求の範囲】
【請求項１】
映像信号を逆相入力端子側に入力し、第１基準電位を正相入力端子側に接続した演算増幅器を含む第１反転増幅回路と、
該第１反転増幅回路から出力される映像信号を逆相入力端子側に入力し、第２基準電位を正相入力端子側に接続した演算増幅器を含む第２反転増幅回路と、
前記第１反転増幅回路の前記逆相入力端子に入力する前記映像信号のレベルをシフトするためのボトムクランプＤＣ電圧を発生するクランプ回路と、
前記ボトムクランプＤＣ電圧を前記第２反転増幅回路の前記逆相入力端子に入力して前記第１反転増幅回路から出力される映像信号と加算するクランプキャンセル回路と
を有することを特徴とする映像信号増幅回路。
【請求項２】
請求項１に記載の映像信号増幅回路において、第１基準電位と第２基準電位との大きさを選択して、第２反転増幅回路から出力される映像信号のボトム電圧を所望の値に制御することを特徴とする映像信号増幅回路。
【請求項３】
請求項１又は２に記載の映像信号増幅回路において、ローパスフィルタと、サグ補正回路と、基準電位切換回路と、利得切換回路とをさらに有することを特徴とする映像信号増幅回路。
【発明の詳細な説明】
【０００１】
【発明の属する技術分野】
本発明は、映像信号の増幅回路に関し、例えば、低電圧電源で使用される映像信号の７５Ω負荷抵抗駆動用増幅回路に関する。
【０００２】
【従来の技術】
従来の映像信号増幅回路は入力される映像信号のレベルが集積回路の製造誤差等のために変動するため、入力される映像信号をレベルシフトして映像信号増幅回路の適正なダイナミックレンジ内に入るようにして、出力される映像信号に歪みが発生しないようにしている。このようなレベルシフト回路を備えた映像信号増幅回路として、特許文献１に開示されるものがある。
【０００３】
【特許文献１】
特開平９−２２４１７３（図１及び図８）
【０００４】
【発明が解決しようとする課題】
比較的高電圧の電源により駆動する場合は、電源電圧が大きくてダイナミックレンジに余裕があるため、特許文献１に示される従来の映像増幅回路から出力される映像信号に歪みは発生しない。しかし、低電圧（例えば、３Ｖ以下）電源で駆動する場合は、従来の映像信号増幅回路では入力電圧範囲の幅が狭くなって映像信号出力がクリップされて波形歪みを発生する。
【０００５】
これは従来の映像信号増幅回路（特許文献１の図１参照）においては、演算増幅器を含み、その正相入力端子＋に映像入力信号を入力し、逆相入力端子−に抵抗を介してＧＮＤ電位へ接続すると共に出力端子からの信号を帰還抵抗を介して帰還し、入力映像信号と同相の非反転映像信号を出力端子から出力する非反転増幅回路とした構成を持ち、この演算増幅器の入力部（特許文献１の図８参照）が、一般にバイポーラトランジスタによる差動増幅回路の構成となっていて、この差動増幅回路の電流源もバイポーラトランジスタで構成されているためである。
【０００６】
すなわち、添付した図８に示すように、この差動増幅回路の入力電圧範囲が、電源電位Ｖｃｃと接地電位ＧＮＤとからそれぞれバイポーラトランジスタのベースエミッタ間電位差Ｖｂｅ分だけ狭められた範囲（Ｖｃｃ−２Ｖｂｅ）となり映像信号がこの入力電圧範囲を超えることに起因する。Ｖｂｅは普通、０．７〜０．８Ｖであることが多い。この結果、低電圧電源動作の場合、Ｖｃｃ＝２．７Ｖ、Ｖｂｅ＝０．７５Ｖとすると、入力電圧範囲は、１．２Ｖｐｐ（０．７５Ｖ〜１．９５Ｖ）しかない。従って、入力信号がこの範囲、１．２Ｖｐｐ（０．７５Ｖ〜１．９５Ｖ）、を超えると演算増幅器の動作が不安定となり出力される映像信号波形にクリップによる波形歪みを発生する。
【０００７】
特許文献１の図１に示される従来の増幅回路を添付した図９に示すような一般的な映像信号増幅回路に使用して低電圧電源により駆動する場合、映像信号入力がコンデンサＣ１を介して映像信号増幅回路に入力される。ＮＴＳＣ規格の信号振幅は、１Ｖｐｐである。しかし、映像信号増幅回路の出力信号を受像機に送信するには、伝送ケーブルのインピーダンス整合のためのマッチング抵抗Ｒ１（７５Ω）と受像機のマッチング抵抗Ｒ２（７５Ω）に送り、受像機側で１Ｖｐｐの信号振幅にする必要があるため、映像信号増幅回路は、２Ｖｐｐ（２倍）に増幅して出力する必要がある。しかし、この場合は従来の増幅回路では上述した理由により出力される映像信号波形にクリップ歪みを発生する。
【０００８】
従って、本発明は低電圧電源で駆動しても映像信号出力波形にクリップ歪みが発生しない映像信号増幅回路を提供することを目的とする。
【０００９】
【課題を解決するための手段】
請求項１に記載された本発明によれば、映像信号を逆相入力端子側に入力し、第１基準電位を正相入力端子側に接続した演算増幅器を含む第１反転増幅回路と、第１反転増幅回路から出力される映像信号を逆相入力端子側に入力し、第２基準電位を正相入力端子側に接続した演算増幅器を含む第２反転増幅回路と、第１反転増幅回路の逆相入力端子に入力する映像信号のレベルをシフトするためのボトムクランプＤＣ電圧を発生するクランプ回路と、ボトムクランプＤＣ電圧を第２反転増幅回路の逆相入力端子に入力して第１反転増幅回路から出力される映像信号と加算するクランプキャンセル回路とを有することを特徴とする映像信号増幅回路が提供される。
【００１０】
請求項１に記載された映像信号増幅回路によれば、第１及び第２反転増幅器を含み、第１及び第２反転増幅回路が、それらの正相入力端子に第１及び第２基準電位が入力されていて、各々の逆相入力端子がそれぞれの正相入力端子と仮想的に短絡されていてそれらの電位は一定となる。このため、低電源電圧においても第１及び第２反転増幅回路は安定的に動作して、映像入力信号の入力電圧範囲を広く取ることができ、クリップによる波形歪みを防ぐことができる。この理由から本発明の映像信号増幅回路は低電源電圧動作において有効に動作して同相の映像信号出力を発生する。さらに、第１反転増幅回路の逆相入力端子に入力する映像信号をレベルシフトするためのボトムクランプＤＣ電圧をクランプ回路によりする。一方、第１反転増幅器から出力された映像信号が入力する第２反転増幅回路の逆相入力端子に同じボトムクランプＤＣ電圧をクランプキャンセル回路より加えて、第１反転増幅回路からの反転出力に加算する。これにより、第２反転増幅回路はボトムクランプＤＣ電圧に生じる集積回路の製造誤差や電源電圧変動等による変動を実質的にキャンセルしてボトム電圧を所望の値に維持してあるとともに、第１反転増幅器に入力する映像信号と同相の映像信号を増幅して出力する。
【００１１】
請求項２に記載された本発明によれば、請求項１に記載の映像信号増幅回路において、第１基準電位と第２基準電位との大きさを選択して、第２反転増幅回路から出力される映像信号のボトム電圧を所望の値に制御することを特徴とする映像信号増幅回路が提供される。
【００１２】
請求項２に記載された映像信号増幅回路によれば、第１基準電位と第２基準電位との大きさを選択して第２反転増幅回路から出力される映像信号増幅回路の出力信号のボトム電圧を所望の値に設定することができ、クリップによる波形歪みを防止することができる。
【００１３】
請求項３に記載された本発明によれば、請求項２に記載の映像信号増幅回路において、ローパスフィルタと、サグ補正回路と、基準電位切換回路と、利得切換回路とをさらに有することを特徴とする映像信号増幅回路が提供される。
【００１４】
請求項３に記載された映像信号増幅回路によれば、ローパスフィルタにより映像信号から高周波雑音を除去し、サグ補正回路により映像信号出力のサグ補正をし、基準電位切換回路は利得切換回路による出力利得変動に連動して基準電位を切換えて、出力信号を適正なレベルにシフトして波形歪みを防止することができる。
【００１５】
【発明の実施の形態】
以下、添付図面を参照して本発明の実施の形態について詳細に説明する。
【００１６】
図１は、本発明の１つの実施の形態による映像信号増幅回路１を示す。映像信号増幅回路１は、第１反転増幅回路１０及び第２反転増幅回路２０を含む。
【００１７】
映像信号増幅回路１には、外部から映像信号入力（図２中の信号Ｓ１）がコンデンサＣ１を介して入力される。この外部からの映像信号入力は、例えば、図２中に信号Ｓ１として示すように、接地電位ＧＮＤを中心に伝送されることが多い、それをコンデンサＣ１とクランプ回路２により接地電位ＧＮＤからレベルシフトする。クランプ回路２は、映像信号入力（信号Ｓ１）が、例えば、図２中の信号Ｓ２に示すように、ＶＣ分だけ映像信号を接地電位ＧＮＤから上昇して適正な信号レベルになるようにレベルシフトするためのボトムクランプＤＣ電圧ＶＣを発生する。
【００１８】
このためクランプ回路２は、ベースを共通に接続した１対のＮＰＮバイポーラトランジスタＴｒ１１及びＴｒ１２と、これらのエミッタにコレクタが接続されていてベースを共通に接続した１対のＮＰＮバイポーラトランジスタＴｒ２１及びＴｒ２２とを有する。トランジスタＴｒ１１のコレクタには電流源Ｉを介して電源電位Ｖｃｃが接続されていて、トランジスタＴｒ１２のコレクタには電源電位Ｖｃｃが接続されている。トランジスタＴｒ２１のエミッタは接地されていて、トランジスタＴｒ２２のエミッタは抵抗Ｒ１０を介して接地されている。
【００１９】
入力された映像信号（図２中の信号Ｓ１）は、クランプ回路２のトランジスタＴｒ１２及びＴｒ２２の接続中点に接続されており、トランジスタのベース・エミッタ間電位差Ｖｂｅを利用してレベルシフトされる。すなわち、クランプ回路２はこれによりボトムクランプＤＣ電圧ＶＣを発生して入力された映像信号（図２中の信号Ｓ１）をＶＣだけ接地電位ＧＮＤより上昇してレベルシフトして映像信号（図２中の信号Ｓ２）とする。このようにボトムクランプＤＣ電圧ＶＣはトランジスタのベース・エミッタ間電位差Ｖｂｅを利用して発生されるため、ＶＣは、０．８Ｖ〜１Ｖ程度である。レベルシフトされた映像信号（図２中の信号Ｓ２）は、インピーダンス変換するバッファ回路４を経て第１反転増幅回路１０に送られる。
【００２０】
映像信号増幅回路１は、さらに、クランプキャンセル回路３を有する。クランプキャンセル回路３は、クランプ回路２のトランジスタＴｒ１１及びＴｒ１２とベースが共通に接続されたＮＰＮバイポーラトランジスタＴｒ１３と、このエミッタにコレクタが接続されていてクランプ回路２のトランジスタＴｒ２１及びＴｒ２２とベースが共通に接続されたＮＰＮバイポーラトランジスタＴｒ２３とを有する。トランジスタＴｒ１３のコレクタには電源電位Ｖｃｃが接続されている。トランジスタＴｒ２３のエミッタはクランプ回路２の抵抗Ｒ１０と同様の抵抗Ｒ２０を介して接地されている。トランジスタＴｒ１３とトランジスタＴｒ２３の接続中点はインピーダンス変換するバッフア回路４を経て第２反転増幅回路２０に送られる。
【００２１】
クランプ回路２とクランプキャンセル回路３は同じ集積回路中に設けられている。この結果、集積回路製造誤差により変動は小さくなるため、クランプキャンセル回路３はトランジスタのベース・エミッタ間電位差Ｖｂｅを利用してクランプ回路２とほぼ同じ大きさのボトムクランプＤＣ電圧ＶＣを発生することができる。
【００２２】
第１反転増幅回路１０は演算増幅器を有し、その逆相入力端子−には抵抗Ｒ１１を介してクランプ回路２により発生したボトムクランプＤＣ電圧ＶＣ分だけレベルシフトされた映像信号（信号Ｓ２）が入力していて且つその出力端子から帰還抵抗Ｒ１２を介して帰還された帰還信号が入力されている。その正相入力端子＋には第１基準電位Ｖｒ１が接続されている。第１反転増幅回路１０の出力端子からは入力された映像信号（図２中の信号Ｓ２）を反転増幅した映像信号（図２中の信号Ｓ３）が出力される。
【００２３】
第２反転増幅回路２０は、第１反転増幅回路１０と同様の演算増幅器を有し、その逆相入力端子−には抵抗Ｒ２１を介して第１反転増幅器１０により反転増幅された映像信号（図２中の信号Ｓ３）が入力し且つその出力端子から帰還抵抗Ｒ２３を介して帰還された帰還信号が入力されている。また、逆相入力端子−には抵抗Ｒ２２を介してクランプキャンセル回路３により発生されたボトムクランプＤＣ電圧ＶＣが入力されて、反転増幅された映像信号（図２中の信号Ｓ３）と加算されて、ボトムクランプＤＣ電圧ＶＣをキャンセルする。前述の通り、クランプ回路２及びクランプキャンセル回路３は同じ集積回路中に設けられるため、それらが発生するボトムクランプＤＣ電圧ＶＣは互いにほぼ等しく、集積回路の製造誤差や電源電圧変動等による変動成分を映像信号からキャンセルすることが可能である。すなわち、ボトムクランプＤＣ電圧に生じる集積回路の製造誤差や電源電圧変動等による変動を実質的にキャンセルし、第２反転増幅回路２０からボトム電圧を所望の値に維持してあるとともに、映像信号と同相の映像信号を出力することが可能となっている。正相入力端子＋には第２基準電位Ｖｒ２が接続されている。この第２反転増幅回路２０の出力端子からは、映像信号入力（図２中の信号Ｓ１）と同相の増幅された映像信号出力（図２中の信号Ｓ４）が出力される。この映像信号出力（図２中の信号Ｓ４）は、そのボトム電圧レベルＶＬ（図２中）が、クリップ歪みを防止するために接地電位ＧＮＤから所望の値だけ上昇するように以下の様に第１基準電位Ｖｒ１及び第２基準電位Ｖｒ２により設定することができる。
【００２４】
第１反転増幅回路１０への第１基準電位Ｖｒ１は、第１基準電位発生回路５により発生される。第２反転増幅回路２０への第２基準電位Ｖｒ２は、第２基準電位発生回路６により発生される。第１及び第２基準電発生回路５及び６のそれぞれは、図３に示すように、２つの抵抗Ｒｘ及びＲｙの直列接続と、２つのスイッチ素子１１及び２１とから構成されている。スイッチ素子１１及び２１はＭＯＳトランジスタで構成でき、一方のスイッチ素子１１は電源電位Ｖｃｃと抵抗Ｒｘとの間に設けられており、ＭＯＳトランジスタのゲートには反転器を介して制御信号ａ１が入力している。他方のスイッチ素子２１は接地電位ＧＮＤと抵抗Ｒｙとの間に設けられており、ＭＯＳトランジスタのゲートには制御信号ａ２が入力している。制御信号ａ２は制御信号ａ１の反転信号である。抵抗ＲｘとＲｙの値は、電源電圧Ｖｃｃの下で所望の第１又は第２基準電位Ｖｒ１又はＶｒ２を抵抗ＲｘとＲｙの接続中点に発生するように選択されている。なお、抵抗Ｒｘと抵抗Ｒｙは可変抵抗を使用してもよい。
【００２５】
基準電位制御回路７は、制御信号ａ１及びａ２を発生して第１及び第２基準電位発生回路５及び６に送る。
【００２６】
なお、図４に示すように第１及び第２基準電位発生回路５及び６のそれぞれは、図３に示した回路を２つ又はそれ以上の数だけ備えて、基準電位制御回路７から送られる制御信号ａ１とａ２又は制御信号ｂ１とｂ２により、その内の１つを選択して直列抵抗の組Ｒｘ１とＲｙ１又はＲｘ２とＲｙ２の内の１つを選択し、その接続中点から得られる第１又は第２基準電位Ｖｒ１又はＶｒ２の大きさを選択的に切換ることができるようにしてもよい。なお、直列抵抗の組Ｒｘ１とＲｙ１及びＲｘ２とＲｙ２は可変抵抗を使用してもよい。
【００２７】
映像信号（信号Ｓ２）を反転増幅して映像信号（信号Ｓ３）を出力する第１反転増幅回路１０の正相入力端子＋には第１基準電位Ｖｒ１が入力されている。第１反転増幅器１０の出力端子の出力電圧Ｖ１の大きさは、その逆相入力端子−の入力電圧がＶｉｎの場合、振幅利得がＲ１２／Ｒ１１できまるから、式（１）により決定される。
【００２８】
Ｖ１＝Ｒ１２／Ｒ１１ｘＶｉｎ＋（１＋Ｒ１２／Ｒ１１）ｘＶｒ２  式（１）
第１反転増幅回路１０の出力は、第２反転増幅回路２０の逆相入力端子−にクランプキャンセル回路３からのボトムクランプＤＣ電圧ＶＣと加算されて入力される。映像信号（信号Ｓ３）を反転増幅して映像信号（信号Ｓ４）を出力する第２反転増幅回路２０の正相入力端子＋には第２基準電位Ｖｒ２が入力されている。第２反転増幅器２０の出力端子の出力電圧Ｖｏｕｔの大きさは、その逆相入力端子−の入力電圧がＶ１の場合、振幅利得がＲ２３／Ｒ２１で決まるから、式（２）により決定される。なお、式（２）では、Ｒ２２＝Ｒ２１と設定する。
【００２９】
Ｖｏｕｔ＝−（Ｒ２３／Ｒ２１）ｘＶ１−Ｒ２３／Ｒ２１ｘＶＣ＋（２ｘＲ２３／Ｒ２１＋１）ｘＶｒ２
＝Ｒ２３／Ｒ２１ｘ（Ｒ１２／Ｒ１１ｘＶｉｎ−ＶＣ）＋［１＋Ｒ２３／Ｒ２１（２−Ａ（１＋Ｒ１２／Ｒ１１））］ｘＶｒ２      式（２）
ここで、Ｖｒ１＝ＡｘＶｒ２であるとする。この式（２）を使用して、第２反転増幅回路２０から出力された映像信号出力（信号４）が、クリップされないボトム電圧ＶＬの大きさを得るための関係を導き出すことができる。
【００３０】
例として、第１反転増幅回路１０の利得を１とする。すなわち、Ｒ１２＝Ｒ１１とする。第２反転増幅回路２０の利得を２とする。すなわち、Ｒ２３＝２ｘＲ２１とする。この時、第２反転増幅回路２０の出力電圧Ｖｏｕｔは、次ぎの式（３）で表わすことかできる。
【００３１】
Ｖｏｕｔ＝２ｘＶｉｎ−２ｘＶＣ＋（１＋４（１−Ａ））ｘＶｒ２  式（３）
この式（３）を使用して、第２反転増幅回路２０から出力された映像信号出力（信号４）が、クリップされないボトム電圧ＶＬの大きさを得るための第１基準電位Ｖｒ１と第２基準電位Ｖｒ２の関係を求める。Ｖｉｎ＝ＶＣとして、ＶｏｕｔをＶＬとすると、式（３）中のＡは次ぎの式（４）により表わされる。
【００３２】
Ａ＝（５−ＶＬ／Ｖｒ２）／４          式（４）
この式（４）において、例えば、ＶＬ＝０．１５Ｖ、Ｖｒ２＝１．２Ｖとしたい場合、Ａ＝１．２１８７５となる。この結果、Ｖｒ１＝１．４６２５Ｖと設定すればよい。
【００３３】
このようにして、第１基準電位Ｖｒ１と第２基準電位Ｖｒ２の比を選択して、出力された映像信号（信号Ｓ４）のボトム電圧ＶＬを定める。このように同一集積回路上で生成される２つの基準電位の相対的な関係からボトム電圧ＶＬが定まるため、集積回路の製造誤差や電源電圧の変動等の影響が少なく、ボトム電圧ＶＬを高精度に所望の値にすることができる。このため、高精度の設定が要求される低電圧電源で駆動される場合でも、ボトム電圧ＶＬをクリップすることがない大きさに高精度に設定できる。図５は、Ｖｃｃ＝２．７Ｖの低電圧電源駆動のため、図１の映像信号増幅回路１により増幅された映像信号出力を示す。この映像信号出力のボトム電圧ＶＬはクリップされることがない大きさ、０．１５Ｖ、に設定されている。そして映像信号出力のピーク・ツー・ピーク電圧Ｖｐｐは２．４Ｖである。映像信号出力のピーク値とＶｃｃ電源電圧との間には、０．１５Ｖの余裕がある。
【００３４】
図６は、本発明の別の実施の形態による映像信号増幅回路６０を示す。図１の実施の形態の映像信号増幅回路１と同じ部分には同じ参照符号を付して説明を省略する。この実施の形態の映像信号増幅回路６０においては、第１反転増幅回路１０の出力端子と逆相入力端子−との間にコンデンサＣ３を接続して、高周波雑音を除去するためのローパスフィルタ機能を内蔵している。同様に、第２反転増幅回路２０の出力端子と逆相入力端子−との間にコンデンサＣ６を接続して、高周波雑音を除去するためのローパスフィルタ機能を内蔵している。さらに、第２反転増幅回路２０の出力端子と逆相入力端子−との間には、直列に接続された２つのコンデンサＣ４及びＣ５と抵抗Ｒ３０の並列接続が帰還抵抗Ｒ２３を介して接続されてコンデンサＣ４及びＣ５の接続点を映像信号の出力端子としていて、映像信号のサグを除去するためのサグ補正回路を内蔵している。この第２反転増幅回路２０には周知の利得切換回路を内蔵してもよい。
【００３５】
図７は、図６の映像信号増幅回路６０のブロック図を示す。この映像信号増幅回路６０は、上述したように同じ集積回路中に設けられるクランプ回路２とクランプキャンセル回路３を有し、第１反転増幅回路１０にはコンデンサＣ３によるローパスフィルタ機能が組込まれている。第２反転増幅回路２０にはコンデンサＣ６によるローパスフィルタ機能及び抵抗３０、コンデンサＣ４とコンデンサＣ５によるサグ補正回路が組込まれている。さらに、周知の利得切換回路を内蔵してもよい。第２反転増幅回路２０は、図１の映像信号増幅回路１において上述した本発明のボトムレベルシフト回路が組込まれていて、基準電位発生回路５と６及び基準電位制御回路７が、図４において説明しように、第１基準電位Ｖｒ１と第２基準電位Ｖｒ２の大きさを適宜選択し、出力利得に連動して映像信号出力のボトムレベルを、クリップ歪みを生じない適切な値にシフトする。
【００３６】
【発明の効果】
請求項１に記載された映像信号増幅回路によれば、低電源電圧においても第１及び第２反転増幅回路は安定的に動作して、映像入力信号の入力電圧範囲を広く取ることができ、クリップによる波形歪みを防ぐことができ、本発明の映像信号増幅回路は低電源電圧動作において有効に動作して同相の映像信号出力を発生する。さらに、第１反転増幅回路の逆相入力端子に入力する映像信号をレベルシフトするためのボトムクランプＤＣ電圧をクランプ回路により発生し、一方、第１反転増幅器から出力された映像信号が入力する第２反転増幅回路の逆相入力端子に同じボトムクランプＤＣ電圧をクランプキャンセル回路より加えて、第１反転増幅回路からの反転出力に加算する。これにより、第２反転増幅回路はボトムクランプＤＣ電圧にのる集積回路の製造誤差や電源電圧変動等による変動成分を実質的にキャンセルして、ボトム電圧を所望の高精度に維持してあり、第１反転増幅器に入力する映像信号と同相の映像信号を増幅して出力することができる。
【００３７】
請求項２に記載された映像信号増幅回路によれば、第１及び第２基準電位を選択して第２反転増幅回路から出力される映像信号増幅回路の出力信号のボトム電圧を所望の値に設定してクリップによる波形歪みを防止することができる。すなわち、同一集積回路上で生成される２つの基準電位の相対的な関係からボトム電圧が定まるため、集積回路の製造誤差や電源電圧の変動等の影響少なく、ボトム電圧を高精度に所望の値とすることができる。このため、特に高精度の設定が要求される低電圧電源で駆動される場合でも、ボトム電圧をクリップすることがない大きさに高精度に設定できる。
【００３８】
請求項３に記載された映像信号増幅回路によれば、ローパスフィルタにより映像信号から高周波雑音を除去し、サグ補正回路により映像信号のサグ補正をし、基準電位切換回路は利得切換回路による出力利得変動に連動して基準電位を切換えて出力信号をクリップによる波形歪みを防止することができる適正なレベルにシフトすることができる。
【図面の簡単な説明】
【図１】本発明の１つの実施の形態による映像信号増幅回路を示す回路図。
【図２】図１の各点おける映像信号の信号波形を接地電位ＧＮＤ及び電源電位Ｖｃｃと共に示す波形図。
【図３】図１の映像信号増幅回路に使用される基準電位発生回路の１つの例を示す回路図。
【図４】図１の映像信号増幅回路に使用される基準電位発生回路の別の例を示す回路図。
【図５】図１の映像信号増幅回路から出力される映像信号の波形を接地電位ＧＮＤ及び電源電位Ｖｃｃと共に示す波形図。
【図６】本発明の別の実施の形態による映像信号増幅回路を示す回路図。
【図７】図６の映像信号増幅回路の構成を示すブロック図。
【図８】従来の映像信号増幅回路の入力電圧範囲と接地電位ＧＮＤ及び電源電位Ｖｃｃの関係を示す概略図。
【図９】従来の映像信号増幅回路が映像信号出力を受像機に送信するために使用される場合の回路構成を示す図。
【符号の説明】
１    映像信号増幅回路
２    クランプ回路
３    クランプキャンセル回路
４    バッフア回路
５    第１基準電位発生回路
６    第２基準電位発生回路
７    基準電位制御回路
１０  第１反転増幅回路
２０  第２反転増幅回路
６０  映像信号増幅回路
【図１】
2004282188.tif 000003
【図２】
2004282188.tif 000004
【図３】
2004282188.tif 000005
【図４】
2004282188.tif 000006
【図５】
2004282188.tif 000007
【図６】
2004282188.tif 000008
【図７】
2004282188.tif 000009
【図８】
2004282188.tif 000010
【図９】
2004282188.tif 000011